(57)【特許請求の範囲】
【請求項１】
前面から後面に向けて少なくとも１個の嵌合キャビティが形成された略直方体の絶縁ハウジングの外面を覆うシールド部材を有し、該シールド部材の外周には後面から前面方向に延びる複数の片持ち梁状の接地タブを外方に突出形成したシールド型電気コネクタにおいて、
前記シールド部材は、前記嵌合キャビティに対応して形成されたコネクタ受容開口を有する前面と、前記片持ち梁状の接地タブがそれぞれ形成された上壁、１対の側壁及び底壁と、後壁とを有し、
前記絶縁ハウジングの嵌合面外周に該嵌合面から後面方向に傾斜した複数の凹部を形成し、前記シールド部材の前記凹部に対応する位置に前記片持ち梁状の接地タブを形成し、
該片持ち梁状の接地タブの自由端は、前記シールド部材の前記前面より後退した前記上壁、前記１対の側壁及び前記底壁の前端近傍に位置することを特徴とするシールド型電気コネクタ。
【請求項２】
前記シールド部材の前記後壁は、前記１対の側壁の後縁に沿って形成された突起と係合するフランジ部を有することを特徴とする請求項１記載のシールド型電気コネクタ。
【発明の詳細な説明】
【０００１】
【発明の属する技術分野】
本発明は電気コネクタ、特にシールド（電磁気遮蔽）を施したシールド型電気コネクタに関する。
【０００２】
【従来の技術とその問題点】
電気コネクタには種々のものが提案され、広く使用されているが、電話及びデータ通信用伝送線にはモジュラージャックと称される電気コネクタがある。特に、シールド型モジュラージャックは例えばコンピュータハブ等のローカルエリアネットワーク（ＬＡＮ）のデータ通信に使用されている。これらモジュラジャックのシールドはノイズ伝送及び外部ノイズの感度を低減するので、これにより従来の非シールド型モジュラジャックに比して高速データ伝送を可能にする。モジュラジャックは高速伝送用の多くの他のデータコネクタに比して小型且つ比較的安価である。従って、斯るコネクタの代りにモジュラジャックを使用するのが有効である。データ伝送速度は益々高速となり且つ多くの導体がモジュラジャック中に高密度で使用されるので、過度のクロストーク（漏話）が既存のモジュラジャックのデータ伝送速度を制限することとなる。
【０００３】
モジュラジャック内のワイヤの配置を工夫することによりモジュラジャックの性能或は機能を改善する多くの努力がなされて来た。しかし、ワイヤの周囲のシールドの改善については殆ど努力がなされていない。典型的には、図１及び図２により明瞭に示す如く、モジュラジャックは一般には後方から金属シャーシ内に取付けられており、接地手段は金属コネクタシールドから金属シャーシハウジング付接地コンタクトに延びる。以下の説明を読めば、これは更に明白となろう。しかし、ここで十分に言えることは、システムの低抵抗接地を有効ならしめる為に、従来手法では多くの問題があった。
【０００４】
一般に斯る従来技法では、金属シールドから切り起こされ角方向に延び且つ後向きのタブを含んでいる。例えば、１つの問題は、関連するジャックを金属シャーシの開口内に完全に押込むと、タブはひっかかり或はからみつき組立体を抜去又は分離するのが困難になる。更に、タブには容易にオーバーストレス（過大な力）が加わり、破損するか或は金属ハウジングとの接触が貧弱又は不可能になる。最後に、斯る従来のタブは取扱い上の問題点も生じた。
【０００５】
【課題を解決するための手段】
本発明のシールド型電気コネクタは、前面から後面に向けて少なくとも１個の嵌合キャビティが形成された略直方体の絶縁ハウジングの外面を覆うシールド部材を有し、該シールド部材の外周には後面から前面方向に延びる複数の片持ち梁状の接地タブを外方に突出形成したシールド型電気コネクタにおいて、前記シールド部材は、前記嵌合キャビティに対応して形成されたコネクタ受容開口を有する前面と、前記片持ち梁状の接地タブがそれぞれ形成された上壁、１対の側壁及び底壁と、後壁とを有し、前記絶縁ハウジングの嵌合面外周に該嵌合面から後面方向に傾斜した複数の凹部を形成し、前記シールド部材の前記凹部に対応する位置に前記片持ち梁状の接地タブを形成し、該片持ち梁状の接地タブの自由端は、前記シールド部材の前記前面より後退した前記上壁、前記１対の側壁及び前記底壁の前端近傍に位置することを特徴とする。
【０００６】
即ち、本発明のシールド型電気コネクタによると、プリント基板（回路板）に取付けられる高性能のシールド型電気コネクタが得られ、好ましくはアレイ状に配置された複数のモジュラジャックを有し、ジャックは金属パネルに取付けられ且つ接地される。このシールド型電気コネクタは上面、プリント基板取付面、１対の側壁、後壁及び前面を有する絶縁（又は誘電体）ハウジングと、その前面から内方へ延び相手コネクタと接触される少なくとも１個のキャビティとを具える。このコネクタは金属板を打抜き折曲げ加工した一体のシールド部材（シールドケース）を含み、コネクタの低抵抗接地を行う。このシールド部材はハウジングの少なくとも上面、両側壁及び後壁を密着して覆っている。ここで重要な特徴は、この金属シールド部材から切り起こされた複数の片持ち梁状タブを有する点にある。このタブは細長く且つ内部から前面方向に延びている。これらタブの更に別の特徴は、自由端が逆方向に曲げられ、弾性位置では加工されたシールド部材の面から突出する。この構成により、上述した従来技術の衝突及び金属面への貧弱な接地接続という問題は回避される。
【０００７】
本発明のシールド型電気コネクタの上述した諸目的及び作用効果は、以下の説明から理解されよう。
【０００８】
【発明の実施の形態】
以下、添付図を参照して本発明のシールド型電気コネクタの好適例を詳細に説明する。尚、本発明は所謂モジュラジャックと称されるデータ伝送用コネクタを始めとする種々のシールド型電気コネクタに広く適用可能であることに注意されたい。しかし、ここでは特にシールド型モジュラジャックにつき説明することとする。
【０００９】
先ず、図１及び図２はパネル取付型の本発明の電気コネクタの例を示し、夫々パネル取付状態及びパネル取付前の状態を示す。パネルに取付けられた電気コネクタ１０は絶縁ハウジング１２及び打抜き折曲げ加工された金属シールド部材１４を具える。このシールド部材１４の一部は図１及び図２共に切欠いて内部構造をよく示すようにする。
【００１０】
コネクタ１０は複数の信号ピン１５を含み、プリント基板（ＰＣＢ）１６に半田付される。このＰＣＢ１６は典型的にはパネルの後方（図２の矢印方向）から装着され、ＰＣＢ１６の孔２２を介してスタンドオフ（取付脚）２３内にねじ切りされた締付ねじ２０等によりシャーシ１８に固定される。パネルシャーシ１８は金属製シールドライナ２６を有する誘電体パネル２４であってもよい。このライナ２６にコネクタ１０の接地がとられる。詳細は後述するが、図１から理解される如く、シールド型コネクタを完全に取付けると、コネクタ１０の接地タブ３０が金属製ライナ２６と接地接触する。この接地コンタクトは図３及び図４の拡大断面図に一層明瞭に図示されている。
【００１１】
しかし、コネクタ１０の接地タブ３０の詳細を説明する前に、コネクタ１０の絶縁ハウジング１２と打抜き折曲げ加工して形成される金属製シールド部材１４を夫々図５及び図６を参照して説明することとする。先ず、コネクタハウジング１２を検討すると、これは高温ポリエステル等のプラスチックモールド製であって、当業者には周知である相補モジュラプラグと電気的接触する１個以上のキャビティ３２を有する。
【００１２】
マルチポート型コネクタにあっては、キャビティ３２は隔壁３４で分離された２列に並設されている。構造上、このコネクタハウジング１２はプリント基板（ＰＣＢ）と接する底面３６、上面３８、１対の側壁４２及び前又は嵌合面４４を有する。ハウジング１２の特徴は、上面３８、底面３６及び側壁４２の内部から前方に傾斜した（角度付き）複数の凹部４６を有することであり、これら凹部４６は嵌合面に向って形成されている。上面３８及び底面３６の凹部４６は好ましくは隣接するキャビティ３２間に配置される。最後にハウジング１２は当業者には周知の如く、１対の基板取付ポスト５０を底面３６に有する。
【００１３】
金属シールド部材１４は、図６に示す如く金属板を打抜き折曲げ加工により形成した一体構造である。図６に示す加工状態のシェル１４はコネクタ受容開口５４を有する前面５２を有する。この開口５４はハウジング１２のキャビティ３２と個数及び配置が一致する。各開口５４には１対のタブ５６が設けられ、キャビティ壁に向けて内方に折曲げられている。シェル又はシールド部材１４は更に上壁５８、１対の側壁６０、部分的な底壁（図８参照）及びピボット状又はヒンジ状の後壁６４を有する。コネクタハウジング１２の上面、両側面及び後面は完全に覆う、即ちシールドするが、底面６２はハウジング１２の前方部分を覆うのみである。
【００１４】
特に図１及び図２につき説明した如く、半田付ポスト又はピン１５がコネクタ１０から下方に延びており、図８には示さないが、周知の如くＰＣＢ１６の対応するスルーホールと接触する。更に、底面６２は１対の側方凹部又は切欠き６３を有し、取付ポスト５０を収容するよう構成している。最後に、側壁６０の下端から半田タブ６５が延出しており、ＰＣＢ１６の接地用トレースに適当に接地される。シールド部材１４の形成方法は最初に金属ブランクには示されていないが、前面５２はこの（加工前の）平坦なブランクの実質的に中心であり、両側壁６０、上壁５８及び底壁６２が、このブランクから折曲げ加工により形成される。図９に最もよく示す如く、後壁６４は上壁５８の後縁７４に沿って折曲げ加工される。
【００１５】
このシールド部材１４の特徴は、上壁、両側壁及び底壁に複数の片持ち梁状の接地タブ３０が形成され且つ各接地タブ３０が内部位置から前面５２に向けて平行スロット６８間に形成されていることである。これら接地タブ３０は図３及び図４に一層明瞭に図示されており、その自由端７０に逆向きに形成された端部７２を含んでいる。この構成により、コネクタをパネル２６の開口内に取付ける際に自由端７０が衝突するという問題を回避する。更に、それからコネクタを取外す際に生じる破壊又は過応力という問題を回避できる。また、この過応力の問題はアームの有効長を長くする、即ち内部位置６６から前面５２までとすることにより回避できる。
【００１６】
最後に、金属パネル２６との接地接触はタブ形成端７２が図３に示すリラックス（無応力）位置では各壁、即ち上壁５８、両側壁６０、底壁６２の面上に突出するのを保証している。図４に最もよく示す如く、コネクタを金属パネル２６の開口内に装着すると、接地タブ３０は夫々の凹部に向けて内方へ撓み、逆方向に加工形成された端部７２は金属パネル２６と確実に接地接続を行う。
【００１７】
シールド部材１４を有効に機能させる為に、シールド部材１４は下方（内側）のコネクタハウジング１２と密着一体化する必要がある。後壁６４は上壁５８の後縁７４からヒンジ取付けされ、折曲げられたシールド部材１４にアクセス可能にする。図９及び図１０にはハウジング１２とシールド部材１４の組立工程（手順）を図示する。組立後に、後壁６４を両側壁６０の後部とラッチ係合させる。これはフランジ部７６を後壁６４の側縁に沿って配置することにより達成する。ここでフランジ部７６は１対の窓７８を有し、側壁６０の後縁８２に沿う相補ランス（突起）８０と係合可能にする。側壁６０の後部は段状部８４及びランス８０を含み、後壁６４をヒンジ状に移動させて側壁６０とラッチ係合させると、組立体の側面は平坦になる。即ち、フランジ部７６は段状部８４の高さと一致する。
【００１８】
後方からの装着（組立）手順は図９及び図１０に示す。接地用シールド部材１４を上述の如く加工形成した後、ヒンジ状後壁６４と上壁５８は図９に示す如く持ち上げられたままである。この位置で、コネクタハウジング１２は加工形成されたシールド部材１４内に挿入される。矢印方向に注目されたい。次に、図１０に示す如く、後壁６４を回動させて両側壁６０と接触させ、一方上壁５８はコネクタハウジング１２の上面３８と接触する。後壁６４が両側壁６０と係合すると、ランス８０が窓７８とスナップ係合し、シールド部材１４をコネクタハウジング１２と確実に固定する。
【００１９】
図１１及び図１２は夫々図３及び図４と同様の断面図であり、片持ち梁状接地タブ３０の変形例を示す。この例にあっては、ピーク又は逆方向への曲げ部９０は平坦状にし、より広い面に対して接地接触を行うようにする。この変形例は板厚が変化したり、用途が種々変化する金属パネル９２と正しく位置合せする場合に特に有効である。
【００２０】
以上、本発明のシールド型電気コネクタの好適実施形態を詳述したが、本発明は斯る特定形態のみに限定されるべきではなく、用途に応じて種々の変形変更が可能であることが理解されよう。
【００２１】
【発明の効果】
以上の説明から理解される如く、本発明のシールド型電気コネクタは金属板を打抜き曲げ加工することにより一体構造に形成されるので、製造が容易且つ安価である。また、コネクタハウジングとの組立も特殊工具を使用することなく容易に行うことができる。また、組立状態のシールド型電気コネクタは接地タブの先端が外方に突出しないので、取扱いが容易であり、過応力から保護可能である。
【図面の簡単な説明】
【図１】本発明によるシールド型電気コネクタを金属ハウジング内のプリント基板に取付けた状態の部分断面図。
【図２】図１のプリント基板に取付けられたシールド型電気コネクタを金属ハウジングに組立手順を示す部分断面図。
【図３】図１のシールド部材の接地タブが金属ハウジングに接触する直前の状態を示す部分拡大断面図。
【図４】図３の接地タブと金属ハウジングの接地接続状態を示す部分拡大断面図。
【図５】本発明のシールド型電気コネクタ用ハウジングの一例の斜視図。
【図６】図５のハウジングを包囲シールドする一体シールド部材の好適例の斜視図。
【図７】図６のシールド部材の正面図。
【図８】図５及び図６のハウジング及びシールド部材の組立状態の底面図。
【図９及び図１０】図５及び図６のハウジング及びシールド部材の組立手順を説明する一部断面した側面図。
【図１１及び図１２】シールド部材の接地タブの変形例を示す図３及び図４と同様の部分拡大断面図。
【符号の説明】
１０        シールド型電気コネクタ
１２        絶縁ハウジング
１４        シールド部材
３０        接地タブ
３２        嵌合キャビティ
４６        凹部
【図１】
0003769705.tif 000002
【図２】
0003769705.tif 000003
【図３】
0003769705.tif 000004
【図４】
0003769705.tif 000005
【図５】
0003769705.tif 000006
【図６】
0003769705.tif 000007
【図７】
0003769705.tif 000008
【図８】
0003769705.tif 000009
【図９】
0003769705.tif 000010
【図１０】
0003769705.tif 000011
【図１１】
0003769705.tif 000012
【図１２】
0003769705.tif 000013